(57)【要約】【課題】書籍の閲覧時、複数箇所の参照時、及び一時読みかけ時などに、必要に応じて着脱可能なしおり紐を提供すること。【解決手段】引掛け型しおりは、書籍の表紙及び裏表紙への引っ掛ける部分にて、本体を書籍に固定する方式である。従って着脱可能であるにも関わらず、製本時に装備した場合と同じ、書籍閲覧に邪魔にならず、有効な機能を有するしおりを提供する。特に調査時、学習時など、数箇所を参照する必要が生じた場合、本発明の引掛け型しおりは、状況に応じてしおり本数を増加したものを、提供可能であり有効である。【選択図】図１
2013059893.tif 000002
【特許請求の範囲】
【請求項１】
紐しおりと、表紙に引っ掛ける部分、及びその反対側の裏表紙に引っ掛ける部分、及び表紙及び裏表紙の引っ掛ける部分をつなぐと同時に紐しおりを組み込む部分よりなる着脱可能なしおり。
【請求項２】
上記表紙及び裏表紙の引っ掛ける部分をつなぐと同時に紐しおりを組み込む部分に、組み込まれる紐しおりは複数である請求項１に記載の着脱可能なしおり。
【請求項３】
背の部分に単数、または複数の紐しおりを接合により、組み込んだブックカバー。
【発明の詳細な説明】
【技術分野】
【０００１】
本発明は書籍、ノート等の表紙及び裏表紙に引掛けることにより使用可能な、書籍、ノート等に使用するしおりに関する。
【背景技術】
【０００２】
紐状の一般に書籍、ノート等に付属するしおりの付いていない書籍、ノート等では、ページを特定するため、短冊型のしおり、又は単に紙片等が使用されている。しかし、このような短冊型のしおり、紙片は、書籍、ノート等から脱落したり、書籍等の中に紛れてしまうという問題があった。また、紐状の一般に書籍、ノート等に付属するしおりがついていても、その本数が少なく、参照箇所が増加すると、やはり、短冊型のしおり、紙片を使用しなくてはならず、短冊型のしおり、紙片は、書籍、ノート等から脱落したり、書籍等の中に紛れてしまうという問題があった。
【先行技術文献】
【特許文献】
【０００３】
【特許文献１】実用新案公開平５−３５３４４ 公開実用新案公報
【発明の概要】
【発明が解決しようとする課題】
【０００４】
紐状の一般に書籍、ノート等に付属するしおりの付いていない書籍、ノート等で短冊型のしおり、又は単に紙片等が使用されている場合、短冊型のしおり、紙片は、書籍、ノート等から脱落したり、書籍等の中に紛れてしまうという問題がありこれを解決しようとする。また、紐状の一般に書籍、ノート等に付属するしおりがついていても、その本数が少なく、参照箇所が増加すると、やはり、短冊型のしおり、紙片を使用した場合、短冊型のしおり、紙片は、書籍、ノート等から脱落したり、書籍等の中に紛れてしまうという問題があり、これも同様に解決する。
【課題を解決するための手段】
【０００５】
上述の課題を解決する本発明の引掛け型しおりは、書籍に関し読書、閲覧、参照、調査中、しおりの必要性が生じた場合、引掛けるだけで、確実に設置可能であり、書籍の損傷なしに、紐しおりという適確な用途のしおりを、迅速に用意することが可能である。
【発明の効果】
【０００６】
本発明によれば、読書、閲覧、参照、調査、その他の用途で書籍を利用する場合、必要であれば、即時しおりを対象の書籍に装着可能である。この結果、読書、閲覧、参照、調査、その他の用途での効率向上が図られる。
【図面の簡単な説明】
【０００７】
【図１】図１は単一の紐しおりを有する引掛け型しおりの実施方法を示した説明図である。
【図２】図２は単一の紐しおりを有する引掛け型しおりの実施方法を示した説明図である。
【図３】図３は単一の紐しおりを有する引掛け型しおりの実施方法を示した説明図である。
【図４】図４は単一の紐しおりを有する引掛け型しおりの実施方法を示した説明図である。
【図５】図５は単一の紐しおりを有する引掛け型しおりの実施方法を示した説明図である。
【図６】図６は複数の紐しおりを有する引掛け型しおりの実施方法を示した説明図である。
【図７】図７は単一の紐しおりを有する引掛け型しおりの実施方法を示した説明図である。
【図８】図８は単一の紐しおりを有する引掛け型しおりの実施方法を示した説明図である。
【図９】図９は単一の紐しおりを有する、ブックカバー型しおりの実施方法を示した説明図である。
【発明を実施するための形態】
【０００８】
以下本発明の実施の形態を図面に基づき詳細に説明する。
【実施例】
【０００９】
図１は本発明に係る引掛け型しおり１０の概観斜視図であり、１１は紐しおり、１２は引掛け部（１）、１３は橋渡し部、１４は引掛け部（２）、１５は引掛け部（１）１２、橋渡し部１３、引掛け部(２)１４の裏面にあって、全体を連結する役目をしている連結部を示す。紐しおり１１は、橋渡し部１３及び、連結部１５の間にその一端を接着等により接合される。
【００１０】
図２は図１の概観斜視図で示した引掛け型しおり１０を、書籍に取り付けた状態を示している。書籍の一方の表紙に引掛け型しおり１０の連結部１５が取り付き、連結部１５の上部を介して引掛け部（１）１２が、一方の表紙の内側に掛かっている。図２の書籍の背表紙部に、連結部１５の一部が取り付き、その裏面の橋渡し部１３ との間に、その一端を接着等により固定されている紐しおり１１を有している。紐しおり１１は書籍の必要なページに差し挟むことが出来る。図２では陰になっているが、書籍のもう一方の表紙には、やはり、その表面に連結部１５の一部が、取り付き、連結部１５の上部を介して、引掛け部（２）１４が表紙の内側に掛かり、引掛け型しおり１０を書籍に固定している。
【００１１】
図３は本発明の平面図である。図４（ａ）は図３のＡ−Ａ’から見た断面図、図４（ｅ）は図３のＥ−Ｅ’から見た断面図、図４（ｆ）は図３のＦ−Ｆ’から見た断面図である。１６は連結部１５と引掛け部（１）１２、橋渡し部１３、引掛け部(２)１４を接続する役目をしている接続部である。１７は連結部１５と 橋渡し部１３の接着等固定のための接合部を示す。紐しおり１１は 連結部１５と橋渡し部１３の間に図４（ａ）のように接合され、固定される。
【００１２】
図５（ｂ）は図３のＢ−Ｂ’から見た断面図、図５（ｃ）は図３のＣ−Ｃ’から見た断面図、図５（ｄ）は図３のＤ−Ｄ’から見た断面図である。
【００１３】
図４（ａ）は図３の引掛け型しおり１０のＡ−Ａ’から見た断面図であり、紐しおり１１は接着等により、連結部１５及び、橋渡し部１３の間に、接合、固定している。図５（ｂ）に示すように、図３のＢ−Ｂ’から見た断面図では、紐しおり１１はこの位置では存在せず、接着剤等により、連結部１５と橋渡し部１３ が接合されている。図５（ｃ）に示すように、図３のＣ−Ｃ’から見た断面図では、紐しおり１１はこの位置で、接着剤等により、連結部１５と橋渡し部１３の間に接合、固定されている。図５（ｄ）に示すように、図３のＤ−Ｄ’から見た断面図では、紐しおり１１はこの位置で、接続部１６の一部より、連結部１５と橋渡し部１３の間に接合、固定されている場所から、書籍の必要な場所に納まるべく、空間に伸びている。
【００１４】
図５（ｂ）は図３のＢ−Ｂ’から見た断面図であり、片側は連結部１５である。橋渡し部１３は連結部１５に接着部１７を介し、接続されているが、引掛け部（１）１２、引掛け部（２）１４はこの断面では、連結部１５、及び橋渡し部１３より切り離されている。引掛け部（１）１２ については図４（ｅ）において、 一端は接続部１６にて接続されているが、その反対側の一端であるこの断面の部分は連結部１５より切り離されていることが確認出来る。引掛け部（２）１４ については図４（ｆ）において、 一端は接続部１６にて接続されているが、その反対側の一端であるこの断面の部分は連結部１５より切り離されていることが確認出来る。
【００１５】
図５（ｃ）は図３のＣ−Ｃ’から見た断面図であり、片側は連結部１５である。橋渡し部１３は連結部１５に接合部１７を介し、接続されており、同時に紐しおり１１を固定している。引掛け部（１）１２、引掛け部（２）１４はこの断面では、連結部１５、及び橋渡し部１３より切り離されている。引掛け部（１）１２ については図４（ｅ）において、 一端は接続部１６にて接続されているが、その反対側に寄っているこの断面の部分は連結部１５より切り離されていることが確認出来る。引掛け部（２）１４ については図４（ｆ）において、 一端は接続部１６にて接続されているが、その反対側に寄っているこの断面の部分は連結部１５より切り離されていることが確認出来る。
【００１６】
図５（ｄ）は図３のＤ−Ｄ’から見た断面図であり接続部１６を示している。連結部１５と、引掛け部（１）１２、橋渡し部１３、引掛け部（２）１４をこの部分で接続している。なお、一部中空であり、中空の部分より紐しおりが空間に伸びており、書籍のページに挟み込むことが可能である。
【００１７】
以上は全て単数の紐しおり１１での例であったが、これを複数にすることも、容易に可能である。図６は、本発明の引掛け型しおり１０の平面図である。これまでの形態では紐しおり１１は単数であったが、１８は複数の紐しおりである。図６に示す引掛け型しおり１０は、複数の紐しおり１８を使用している場合を示している。複数の紐しおり１８を連結部１５と橋渡し部１３の間に接着等により固定している。複数の紐しおり１８の場合も、引掛ける仕組みは、単数の紐しおり１１の場合と同じである。
【００１８】
以上の形態に付け加え以下の内容での、本発明の引掛け型しおりの形態がある。先ず、単数の紐しおり１１を使った場合を示す。橋渡し部１３は接続部１６を介して、連結部１５と接続していた。  橋渡し部１３が接続部１６を有さず、連結部１５とは切り離された状態で、接着剤等でのみ、連結部１５に接合する。この場合、図５（ｄ）に示している、図３のＤ−Ｄ’から見た断面図は図７（ｄ２）となる。尚、紐しおり１１を複数の紐しおり１８に置き換えれば、本形態での引掛け型しおり１０は複数の紐しおりを備えることが可能である。
【００１９】
さらに、以上の形態に付け加え以下の内容での、本発明の引掛け型しおりの形態がある。橋渡し部１３を有さず、紐しおり１１を直接連結部１５に接合することも可能である。この場合の斜視図を図８に示す。図８では橋渡し部１３がないため、紐しおり１１が１５に接合されている部分が、露出し示されている。。尚、紐しおり１１を複数の紐しおり１８に置き換えれば、本形態での引掛け型しおり１０は複数の紐しおりを備えることが可能である。
【００２０】
次に、引掛け型しおりとは異なる形態だが、紐しおりを組み込んだブックカバーを示す。図９（ｐ）はブックカバー型しおりの斜視図であり、19はブックカバー型しおりである。図９（ｒ）は、ブックカバー型しおり19を図9（ｑ）に示す書籍に被せ、紐しおり11を図9（ｑ）に示す書籍の、必要箇所に納めているところを示している。
【産業上の利用可能性】
【００２１】
本発明は読書、書籍閲覧、等に関連する製本関係、文具関係、書籍関係の産業分野で利用することが出来る。
【符号の説明】
【００２２】
１０    引掛け型しおり
１１    紐しおり
１２    引掛け部（１）
１３    橋渡し部
１４    引掛け部（２）
１５    連結部
１６    接続部
１７    接合部
１８    複数の紐しおり
１９    ブックカバー型しおり
【図１】
2013059893.tif 000003
【図２】
2013059893.tif 000004
【図３】
2013059893.tif 000005
【図４】
2013059893.tif 000006
【図５】
2013059893.tif 000007
【図６】
2013059893.tif 000008
【図７】
2013059893.tif 000009
【図８】
2013059893.tif 000010
【図９】
2013059893.tif 000011